(57)【要約】【課題】通信品質の向上を図る。【解決手段】無線通信装置１０は、基地局２０へレンジング信号を送信する送信部１１と、レンジング信号の送信電力レベルを制御する送信電力制御部１２とを備える。送信電力制御部１２は、レンジング信号の再送を行う場合、初回送信時と同じ送信電力レベルで、または初回送信時の算出手順を再度実行して求めた送信電力レベルで再送を行う第１のフェーズと、送信電力レベルを増加させて再送を行う第２のフェーズとを有する。【選択図】図１
2011259019.tif 000002
【特許請求の範囲】
【請求項１】
基地局へレンジング信号を送信する送信部と、
前記レンジング信号の送信電力レベルを制御する送信電力制御部と、
を備え、
前記送信電力制御部は、前記レンジング信号の再送を行う場合、
初回送信時と同じ前記送信電力レベルで、または初回送信時の算出手順を再度実行して求めた前記送信電力レベルで再送を行う第１のフェーズと、前記送信電力レベルを増加させて再送を行う第２のフェーズとを有する、
ことを特徴とする無線通信装置。
【請求項２】
前記送信電力制御部は、自装置と前記基地局との間における、前記レンジング信号の初回送信時のパスロスと、再送時のパスロスとの変化にもとづいて、前記送信電力レベルの増加量を求めることを特徴とする請求項１記載の無線通信装置。
【請求項３】
前記送信電力制御部は、前記第１のフェーズの再送回数が所定回数に達した場合に、前記第１のフェーズから前記第２のフェーズへ移行することを特徴とする請求項１記載の無線通信装置。
【請求項４】
前記送信電力制御部は、前記基地局と接続が確立していない場合には、前記第２のフェーズによる前記レンジング信号の再送を行い、前記基地局と接続が確立している場合には、前記第１のフェーズの前記レンジング信号の再送を行うことを特徴とする請求項１記載の無線通信装置。
【請求項５】
前記送信電力制御部は、前記第１のフェーズによる前記レンジング信号の再送を行った際、一定時間経過しても前記基地局からの応答がない場合は、前記第２のフェーズによる前記レンジング信号の再送を行うことを特徴とする請求項１記載の無線通信装置。
【請求項６】
前記送信電力制御部は、電波環境変動度合いを検出し、前記電波環境変動度合いがしきい値を下回る場合は、前記第１のフェーズによる前記レンジング信号の再送を継続して行い、前記電波環境変動度合いが一定時間の間しきい値を越える場合は、前記第２のフェーズによる前記レンジング信号の再送を行うことを特徴とする請求項１記載の無線通信装置。
【請求項７】
送信電力レベルを制御する送信電力制御方法において、
基地局へレンジング信号の再送を行う場合に、第１のフェーズと第２のフェーズとを有し、
前記第１のフェーズでは、初回送信時と同じ前記送信電力レベルで、または初回送信時の算出手順を再度実行して求めた前記送信電力レベルで再送を行い、
前記第２のフェーズでは、前記送信電力レベルを増加させて再送を行う、
ことを特徴とする送信電力制御方法。
【請求項８】
送信電力レベルの制御をコンピュータに実行させる送信電力制御プログラムにおいて、
基地局へレンジング信号を再送する場合、
前記コンピュータに、
初回送信時と同じ前記送信電力レベルで、または初回送信時の算出手順を再度実行して求めた前記送信電力レベルで再送を行う第１のフェーズと、前記送信電力レベルを増加させて再送を行う第２のフェーズと、による処理を実行させることを特徴とする送信電力制御プログラム。
【発明の詳細な説明】
【技術分野】
【０００１】
本発明は、無線通信を行う無線通信装置、送信電力を制御する送信電力制御方法および送信電力の制御をコンピュータに実行させる送信電力制御プログラムに関する。
【背景技術】
【０００２】
無線通信技術として、OFDMA（Orthogonal Frequency Division Multiple Access）方式を採用する、モバイルWiMAX（Worldwide Interoperability for Microwave Access）として知られるIEEE（Institute of Electrical and Electronics Engineers） 802.16eを用いた無線通信システムが開発されている。
【０００３】
図１４はWiMAXの無線通信システムを示す図である。WiMAXの無線アクセス網１００内において、基地局１０１〜１０３およびゲートウェイ１０４が接続する。また、基地局１０１〜１０３と移動局３１、３２とで無線通信が行われる。なお、ゲートウェイ１０４は、プロトコルの異なるネットワーク同士の接続を可能にするためのノードであり、上位に位置するキャリア局舎等に配置される。
【０００４】
上記のような無線通信システムでは、基地局が複数の移動局からの電波を同一フレーム中に混在した状態で受信する。そのため、基地局にて、各移動局からの受信レベルの飽和やノイズマージン不足を避けるために、各移動局からの受信レベルが概ね揃っている必要があり、移動局では、送信電力の制御を随時行うことになる。
【０００５】
一方、基地局では、移動局に対し、時間方向（シンボル方向）および周波数方向（使用するサブキャリア）に仕切られた通信スロットを割当てるアクセス制御が行われる。移動局に通信スロットが割当てられることで、基地局と移動局との間で通信が実施される。
【０００６】
また、通信スロットの割当てがない状態のときは、WiMAXのプロトコル仕様（IEEE802.16eおよびその後継）では、CDMA（Code Division Multiple Access） Rangingと称されるコード（単にRangingとも呼ぶ）が、専用の送信スロットを通じて、移動局から基地局へ送信される。基地局がRangingを受信することで、該当移動局の通信アクセス要求を受け付けることができる。
【０００７】
送信電力制御の従来技術として、加入者端末から基地局に伝送されるアップリンクフレームの伝送電力を決定する技術が提案されている（特許文献１）。また、移動端末から送信されるレンジング要求にもとづいて受信信号レベル値を検出し、受信信号レベル値と制御目標値とから、移動端末の送信出力を調整させるための制御命令を生成する技術が提案されている（特許文献２）。
【先行技術文献】
【特許文献】
【０００８】
【特許文献１】特表２００７−５１９３２７号公報
【特許文献２】特開２００９−７１５８５号公報
【発明の概要】
【発明が解決しようとする課題】
【０００９】
上記のRangingは、基地局側での受信マージンが大きく取れるような送信スロットを用いて、移動局から基地局へ送信するよう設計されてはいるが、Rangingを送信するというのは、そもそも移動局が通信権を現在持っていない状況下で送信を行うことである。
【００１０】
したがって、移動局がRangingを送信する場合に保持している、基地局に対する送信電力が、移動局の電波環境や擾乱（例えば、通信路に人や物が通過する、反射物が存在するなど）等の理由によって、適切でないレベルに変化するおそれがある。このような場合、基地局にRangingが到達しなかったり、到達しても基地局が正しく受信できなかったりすることが生じる可能性がある。
【００１１】
移動局では、基地局にRangingを送信したにもかかわらず、基地局からの応答がない場合、Ranging送信の再送（リトライ）を行う。しかし、基地局からの応答のない原因が、移動局の送信電力不足によるものなのか、または一時的な混信や電波の乱れによる、基地局または移動局いずれかの受信失敗によるものなのか、さらには基地局側の一時的な処理負荷増加による取りこぼし等によるものなのかを、移動局で判断することは困難である。
【００１２】
したがって、従来では、移動局がリトライを行う場合に、状況に応じた適正な送信電力レベルでRangingを送信することができなかった。このため、基地局でRangingが受信されて通信が確保されるまで、不適切な送信電力で何度もリトライを繰り返したり、または必要以上の送信電力でRangingを送信したりすることになり、運用効率の低下および通信品質の劣化が生じるといった問題があった。
【００１３】
本発明はこのような点に鑑みてなされたものであり、Rangingのリトライを適正な送信電力で行って、運用効率および通信品質の向上を図った無線通信装置を提供することを目的とする。
【００１４】
また、本発明の他の目的は、Rangingのリトライを適正な送信電力で行って、運用効率および通信品質の向上を図った送信電力制御方法を提供することである。
さらに、本発明の他の目的は、Rangingのリトライを適正な送信電力で行って、運用効率および通信品質の向上を図った送信電力制御プログラムを提供することである。
【課題を解決するための手段】
【００１５】
上記課題を解決するために、無線通信装置が提供される。この無線通信装置は、基地局へレンジング信号を送信する送信部と、前記レンジング信号の送信電力レベルを制御する送信電力制御部とを備える。前記送信電力制御部は、前記レンジング信号の再送を行う場合、初回送信時と同じ前記送信電力レベルで、または初回送信時の算出手順を再度実行して求めた前記送信電力レベルで再送を行う第１のフェーズと、前記送信電力レベルを増加させて再送を行う第２のフェーズとを有する。
【発明の効果】
【００１６】
通信品質の向上を図ることが可能になる。
【図面の簡単な説明】
【００１７】
【図１】無線通信装置の構成例を示す図である。
【図２】適正送信電力レベルを超過する例を示す図である。
【図３】適正送信電力レベルを下回る例を示す図である。
【図４】無線通信装置の構成例を示す図である。
【図５】Closed Loop制御のシーケンス例を示す図である。
【図６】Open Loop制御のシーケンス例を示す図である。
【図７】送信電力制御の動作フローを示す図である。
【図８】送信電力制御の動作フローを示す図である。
【図９】送信電力制御の動作フローを示す図である。
【図１０】送信電力制御の動作フローを示す図である。
【図１１】送信電力制御の動作フローを示す図である。
【図１２】初期Ranging送信のシーケンスを示す図である。
【図１３】無線端末の構成例を示す図である。
【図１４】WiMAXの無線ネットワークを示す図である。
【発明を実施するための形態】
【００１８】
以下、本発明の実施の形態を図面を参照して説明する。図１は無線通信装置の構成例を示す図である。無線通信装置１０は、基地局２０へレンジング信号を送信する送信部１１と、レンジング信号の送信電力レベルを制御する送信電力制御部１２とを備える。
【００１９】
ここで、送信電力制御部１２は、レンジング信号の再送を行う場合、第１のフェーズと第２のフェーズとを有している。第１のフェーズは、さらに２つのパターンを含み、１つ目のパターンでは、初回にレンジング信号を送信したときと同じ送信電力レベルでレンジング信号の再送を行う。また、２つ目のパターンは、初回にレンジング信号を送信したときに用いた送信電力レベルの算出手順を再度実行し、初回送信時に用いた算出手順によって求めた送信電力レベルでレンジング信号の再送を行う。
【００２０】
一方、第２のフェーズでは、送信電力レベルを可変的に増加させる送信電力増加制御を行ってレンジング信号の再送を行う。なお、以降では、レンジング信号をRangingと表記し、再送をリトライと表記する。
【００２１】
次に無線通信装置１０の詳細を説明する前に、Rangingが適正電力レベルでリトライされないときの状態について説明する。移動局から送信されたRangingに対する基地局の応答がなかった場合、単純にRangingの送信電力を増加させるリトライでは、RSSI（Received Signal Strength Indication：受信信号強度）の状態に応じて、適正な送信電力レベルから外れてしまう可能性がある。
【００２２】
図２は適正送信電力レベルを超過する例を示す図である。横軸は時間、左縦軸は送信電力、右縦軸はRSSIである。RSSIが上昇する場合、移動局の受信環境が良好な状態に移行するので、基地局と移動局との間のパスロス率は減少する方向に向かう。したがって、一般的にはRangingの適正送信電力も基準レベルから下がる方向に変化する。
【００２３】
時間ｔ１において、電力要因（送信電力不足等）以外の一時的な外乱等によって、Rangingに対する基地局の応答が受信できなかったとする。この場合、従来の移動局では、単純に一定のdB値の送信電力を一定間隔で増加させるとした、固定的な送信電力増加制御によるリトライを行っていた。
【００２４】
このため、RSSIが上昇しているので、Ranging送信電力は基準レベルで十分であるにもかかわらず、単純な送信電力レベルの段階的な増加制御が行われるので、適正送信電力レベルから超過していき、離れてしまうことになる。
【００２５】
また、移動局においては、送信電力が基地局における最大受信レベルに達すると、最小の送信電力から再びやり直して、適正な電力レベルを探す動作を行うため、タイムアウトしてしまうか、または最終的に応答を受信してもかなり長い期間リトライを続けることになってしまう。
【００２６】
図３は適正送信電力レベルを下回る例を示す図である。横軸は時間、左縦軸は送信電力、右縦軸はRSSIである。RSSIが下降する場合、移動局の受信環境が劣化する状態に移行するので、基地局と移動局との間のパスロス率は増加する方向に向かう。したがって、一般的にはRangingの適正送信電力も基準レベルから上がる方向に変化する。
【００２７】
時間ｔ２において、電力要因によって、Rangingに対する基地局の応答が受信できなかったとすると、この場合も、従来の移動局では、上記と同様にして、固定的な送信電力の段階的な増加制御によるリトライが行われる。
【００２８】
しかし、移動局の急激な移動等により、受信環境が大きく劣化したようなときには、送信電力の必要量も大きく増加するため、固定的に送信電力レベルを単純に増加させるリトライでは、適正送信電力レベルに即時に到達することが困難である。このため、受信劣化後の電波にすみやかに追随することができず、基地局との間に通信断が生じてしまう可能性がある。
【００２９】
本発明では、上記のような状況に鑑みて、Rangingのリトライを行う際の送信電力を適応的に制御することによって、適切な送信電力レベルを維持し、運用効率および通信品質の向上を図るものである。
【００３０】
次に無線通信装置１０の構成および動作について以降説明する。図４は無線通信装置１０の構成例を示す図である。無線通信装置１０は、送信部１１、送信電力制御部１２、送信タイミング生成部１３を備え、さらに送信部１１は、OFDMA変調信号生成部１４、ゲイン調整部１５、IFFT（Inverse Fast Fourier Transform）部１６、ベースバンドゲイン補正部１９、Ｄ／Ａ部１７、ＲＦ変調部１１１、可変アンプ１１２、パワーアンプ１１３およびアンテナ１８を備える。
【００３１】
送信タイミング生成部１３は、送信フレームの送信タイミングを生成する。OFDMA変調信号生成部１４は、送信タイミングにもとづき、送信データにOFDMA変調を施してOFDMA変調信号を生成する。ゲイン調整部１５は、送信タイミングにもとづき、OFDMA変調信号のゲインをサブキャリア毎に調整する。
【００３２】
IFFT部１６は、ゲイン調整部１５からの出力信号にIFFTの演算を行い、ベースバンドゲイン補正部１９は、IFFT後の送信信号の送信電力補正を行う。Ｄ／Ａ部１７は、ディジタル信号をアナログ信号に変換する。ＲＦ変調部１１１は、Ｄ／Ａ部１７の出力信号をアップコンバートする。アンプコンバートされた信号は、可変アンプ１１２、パワーアンプ１１３で増幅され、アンテナ１８を介して基地局２０へ送信される。送信電力制御部１２はベースバンドゲイン補正部１９、可変アンプ１１２のゲインを所望の出力になるように調整する。
【００３３】
次に送信電力制御における、Closed LoopおよびOpen Loopの２つの方式について説明する。送信電力の代表的なループ制御には、Closed Loopによる制御と、Open Loopによる制御がある。
【００３４】
Closed Loop制御の基本動作は、基地局からの指示にしたがって、移動局が送信電力を制御するものである。また、Open Loop制御の基本動作は、基地局から送信された電波の受信レベルに応じて、移動局が自律的に送信電力を制御するものである。
【００３５】
図５はClosed Loop制御のシーケンス例を示す図である。
〔Ｓ１〕移動局は、送信電力レベルＰ0でデータ送信を行う。
〔Ｓ２〕移動局が移動して、基地局と移動局との距離が離れる。
【００３６】
〔Ｓ３〕ステップＳ１と同様に、移動局は、送信電力レベルＰ0でデータを送信している。
〔Ｓ４〕基地局は、受信電力レベルが電力レベルＰa分不足していることを認識する。
【００３７】
〔Ｓ５〕基地局は、移動局に対して、送信電力レベルを電力レベルＰa分増加させる旨の指示を含むメッセージを送信する。
〔Ｓ６〕移動局は、メッセージを受信すると、電力レベルＰa分増加させて、送信電力レベル（Ｐ0＋Ｐa）でデータを送信する。
【００３８】
このように、Closed Loop制御では、移動局は原則として自律的な電力制御を行わず、移動局と基地局との距離の変化などによって、基地局が電力調整の必要性を認識したときに、基地局が移動局に対して送信電力の調整指示を送信する。
【００３９】
図６はOpen Loop制御のシーケンス例を示す図である。
〔Ｓ１１〕移動局は、送信電力レベルＰ0でデータ送信を行う。
〔Ｓ１２〕移動局が移動して、基地局と移動局との距離が離れる。
【００４０】
〔Ｓ１３〕移動局は、基地局側の必要な受信電力を推定する。
〔Ｓ１４〕移動局は、電力レベルＰaの増加分を推定したとすると、送信電力レベルＰa分を増加させる自動調整を行って、送信電力レベル（Ｐ0＋Ｐa）でデータを送信する。
【００４１】
〔Ｓ１５〕基地局は、移動局に対して、送信電力レベルを電力レベルＰb分増加させる旨の指示を含むメッセージを送信する。
〔Ｓ１６〕基地局は、移動局に対して、送信電力レベルをさらに電力レベルＰb分増加させて、送信電力レベル（Ｐ0＋Ｐa＋Ｐb）でデータを送信する。
【００４２】
このように、Open Loop制御では、基地局から送信された電波の受信レベルの低下を移動局が認識すると、移動局では、送信電力レベルを自動的に調整する。ただし、ステップＳ１５のように、Open Loop制御であっても、基地局からの電力調整指示があった場合には、その指示に従って送信電力レベルの調整を行う。
【００４３】
次に無線通信装置１０における送信電力制御の動作について以降詳しく説明する。無線通信装置１０は、第１のフェーズと第２のフェーズとの２つのフェーズによって送信電力制御を行う。
【００４４】
第１のフェーズでは、例えば、Rangingに対する基地局からの応答がない場合に、初回Ranging送信時の電力レベルと同じ電力レベルでリトライを行う、または初回Ranging送信時の電力レベルを計算したときの手順を再度実行して決定した電力レベルでリトライを行うものである。また、第２のフェーズは、例えば、第１のフェーズによるリトライでも応答がない場合に、可変的に送信電力レベルの増加制御を行うものである。
【００４５】
無線通信装置１０が送信したRangingに対し、基地局からの応答を所定時間待っても受信できないとする。このとき、無線通信装置１０が例えば、Closed Loop制御を行っている場合には、初回Ranging送信時と同じ電力レベルを維持する。そして、基地局から送信電力に関する何らかの指示を受け取ってない場合と同等な動作を行って、初回にRangingを送信したときの電力レベルと同じ電力レベルで、Ranging送信のリトライを行う（第１のフェーズ）。
【００４６】
または、無線通信装置１０が例えば、Open Loop制御を行っている場合には、初回Ranging送信時の電力レベルを計算したときの手順を再度実行する。そして、初回Ranging送信時の電力レベルを求めたときと同じ計算手順によって決定された送信電力レベルで、Ranging送信のリトライを行う（第１のフェーズ）。このように第１のフェーズでは、Closed Loop制御またはOpen Loop制御のいずれかのループ制御を実施しているかで上記の２つのパターンがある。
【００４７】
一方、Closed Loop制御時の第１のフェーズまたはOpen Loop制御時の第１のフェーズにおける、上記のようなリトライを行っても、Rangingに対する基地局からの応答がない場合には、この時点で送信電力を増加させる制御を行ってリトライを行う（第２のフェーズ）。なお、Closed Loop制御の場合であっても、第２のフェーズに移行すると、基地局からの指示がなくても送信電力の増加制御を行う。
【００４８】
このような送信電力制御を行うことにより、過渡的な要因（一時的な混信や電波の乱れ、基地局側の一時的な処理負荷増加による取りこぼし等）によって、Rangingに対する基地局からの応答がない場合、第１のフェーズでとどまっているうちは、リトライ動作によって送信電力パラメータは変化しない。
【００４９】
このため、一時的な不通要因が解消すれば、初回Ranging送信時の電力レベル、または初回Ranging送信時の電力調整プロトコルで決定した電力レベルによって、Rangingが基地局に到達する可能性が大きいので、通信が再開できる状況になったときに、送信電力レベルが過剰になることはない。
【００５０】
また、第１のフェーズのときに送信電力不足であったとしても、第２のフェーズのリトライ動作に移行することによって、送信電力を高める制御が働く。このため、そのままの送信電力では基地局との通信が途絶えるような場合であっても、通信状態を正常に回復させることが可能になる。
【００５１】
図７は送信電力制御の動作フローを示す図である。Open Loop制御を実施している場合における、送信電力制御の動作フローを示している。
〔Ｓ２１〕送信電力制御部１２では、Ranging送信に先立ち、基地局との間の電波ロスの変化を補正するような基準電力レベルの調整を行う。
【００５２】
無線通信装置１０は、送信電力の基準電力（送信フォーマット毎の増減を加味しない基準となる電力）を内部に保持しており、基地局との間のロスの変化をRSSIの変化分で求め、基準電力レベルをRSSIの変化分で補正して、基準電力レベルを更新する。
【００５３】
すなわち、リトライを行う際には、自装置と基地局との間における、Rangingの初回送信時のパスロスと、再送時のパスロスとの変化をRSSIの変化分で求めて、そのRSSIの変化分で基準電力レベルを更新する。
【００５４】
ここで、送信基準電力レベルをPref、RSSI変化分をΔRSSIとすると、送信基準電力レベルの更新式は以下の式（１）となる。
Pref＝Pref−ΔRSSI・・・（１）
〔Ｓ２２〕送信電力制御部１２は、Ranging送信の電力量の調整を行い、送信部１１は、Rangingを基地局へ送信する。
【００５５】
なお、IEEE802.16eでは、送信信号の変調種別毎に送信電力量を調整する。この場合、Ranging用の電力調整量を基準電力に加算する。また、基準電力は、サブキャリア単位であるため、送信サブキャリア数がNならば、実際の送信電力は、基準電力をN倍したものとなる（dB計算のため、サブキャリア数NをdBに変換した後に加算する）。そして、このようにして求めた電力値でRangingを送信する。
【００５６】
ここで、Ranging送信用の電力調整量をPOFS RNG、Ranging送信時のサブキャリア数をNRNGとすると、Ranging送信電力PRNGは、以下の式（２）となる。
PRNG＝Pref＋POFS RNG＋10log10（NRNG）・・・（２）
〔Ｓ２３〕送信電力制御部１２は、Ranging送信に対する基地局からの応答を待つ。基地局からの応答が所定時間内に届けばRanging送信成功となり、送信処理は終了する。また、所定時間内に応答がなければ、タイムアウトしてステップＳ２４へいく。
【００５７】
〔Ｓ２４〕送信電力制御部１２は、Ranging送信回数のリトライアウトのチェックを行う。送信回数がリトライ上限まで達すると送信失敗となる。また、リトライ回数が残っている場合は、ステップＳ２５へいく。
【００５８】
〔Ｓ２５〕第１のフェーズを継続してのRangingのリトライを行うか否かを判断する。第１のフェーズを継続する場合はステップＳ２１へ戻り、そうでなければステップＳ２６へいく。
【００５９】
なお、第１のフェーズを継続する場合、初回にRangingを送信したときの送信電力レベル計算手順を再度実行し、その計算手順で決定した電力レベルでリトライを行う。ここで、初回Ranging送信時の送信電力決定手順と同じ手順でリトライ時の送信電力レベルを決定するということは、ステップＳ２１、Ｓ２２で示した式（１）、（２）により、Ranging送信電力PRNGを再度求めるということである。
【００６０】
したがって、Open Loop制御における第１のフェーズでは、ΔRSSI等のパラメータに変化が生じている場合もあるので、初回にRangingを送信したときの送信電力レベルの値とは異なる場合がある。なお、Closed Loop制御における第１のフェーズでは、最初にRangingを送信したときの送信電力レベルをそのまま用いる。
【００６１】
〔Ｓ２６〕送信電力制御部１２は、送信電力レベル増加制御を行って、ステップＳ２１へ戻る。ここでの送信電力レベル増加制御は、基準電力を増加させることで、Rangingの送信電力レベルを上げる。基準電力増加量をΔPROとすれば、送信電力レベル増加制御による基準電力は以下の式（３）で求まる。
【００６２】
Pref＝Pref＋ΔPRO・・・（３）
上記のように、ステップＳ２１、Ｓ２２の処理にもとづく第１のフェーズのリトライにおいては、初回Ranging送信時の送信電力決定手順と同じ手順で決定した送信電力レベルでリトライを行い、ステップＳ２６、Ｓ２１、Ｓ２２の処理にもとづく第２のフェーズにおいては、基準電力を増加させることになって、送信電力レベルを可変的に増加させてリトライを行う。
【００６３】
このため、一時的な要因（受信電波が届かなかった場合、処理負荷増で応答できなかった等）で基地局がRangingに対し応答できなかった場合でも、該当要因が解消すれば、その時点での最適な送信電力レベルでのRanging送信が可能になる。
【００６４】
また、送信電力不足のときには、第２のフェーズのリトライ動作が機能する。また、第２のフェーズでは、従来のような、あらかじめ設定された固定レベルを段階的に増加させる制御ではなく、基準レベルを増加させた上で、RSSIの変化を加味したレベル増加量で送信電力レベルを増加させる。したがって、送信電力不足時点での最適な送信電力レベルでRanging送信が可能になる。
【００６５】
次に図７で上述した送信電力制御を基本とした実施の形態について以降説明する。第１の実施の形態では、送信電力制御にClosed Loopを用いた場合を想定したもので、Rangingに対する基地局からの応答がない場合に、第１のフェーズで同一の送信電力にて送信リトライを実施し、再度基地局からの応答がない場合に、基地局と無線通信装置１０との間のパスロスの変化を加味して算出した送信電力レベルに変更してリトライする第２のフェーズで、Rangingのリトライを行うものである。
【００６６】
さらにこのバリエーションとして、初回のRanging送信が失敗して、最初のリトライを行うときから、第２のフェーズを開始する、すべてのリトライに対して、第２のフェーズで実施されるような送信電力の増加制御をしてもよい。
【００６７】
これにより、無線通信装置１０と基地局との間のパスロスが急激に変わったとしても、その変化に合わせた送信電力を柔軟に調整することが可能になる。このため、パスロスの変化が大きく基地局側での受信失敗等の理由により、電力調整指示を無線通信装置１０に指示できないような状況であっても、基地局側で適切な受信電力レベルを維持することが可能になる。
【００６８】
次に第２の実施の形態について説明する。第２の実施の形態では、リトライモードに入った直後の１回目のリトライは、第１のフェーズの動作を行うが、第１のフェーズから第２のフェーズへ移行する際は、第１のフェーズのリトライの回数が所定回数に達することをもって、第２のフェーズに移行するものである。
【００６９】
図８は送信電力制御の動作フローを示す図である。第２の実施の形態の動作フローを示しており、図７の動作フローと同じステップには同じ符号をつけて説明は省略する。第２の実施の形態では、新たにリトライ回数を判断するステップＳ３０ａが追加される。
【００７０】
〔Ｓ３０ａ〕送信電力制御部１２は、リトライ回数が残っている場合、第１のフェーズのリトライ回数が所定回数に達したか否かを判断する。所定回数に達しない場合はステップＳ２１へ戻り、第１のフェーズによるリトライを行う。また、所定回数に達した場合はステップＳ２６へいき、第２のフェーズへ移行する。
【００７１】
このように、第１のフェーズのリトライの回数が所定回数に達したときに第２のフェーズに移行する制御を行うことで、無線通信装置１０と基地局との間の無線状況等に応じて、第１のフェーズのリトライ区間を可変に設定することができ、また適正な送信電力レベルを維持することが可能になる。
【００７２】
次に第３の実施の形態について説明する。第３の実施の形態では、無線通信装置１０と基地局との接続がすでに確立している状態のとき、または基地局への送信電力がすでに調整済みであるときに、Rangingに対する基地局からの応答がなかった場合は、第１のフェーズの送信電力制御を継続して行うものである。
【００７３】
ここで、WiMAXのプロトコル仕様においては、Ranging送信はいくつか種類があり、初期Ranging（Initial Ranging）、周期Ranging（Periodic Ranging）、帯域Ranging（BW ranging）などがある。
【００７４】
初期Rangingは、基地局との最初の接続手順であって、基地局の最適な受信電力レベルは、無線通信装置１０にとってまだ認識していない状態のときに、低めの送信電力レベルから徐々に上げていくRanging送信である。
【００７５】
周期Rangingは、基地局の通信範囲内に無線通信装置１０が存在していることを示すために行う周期的なRanging送信である。さらに、帯域Rangingは、無線通信装置１０から基地局へ何らかの通信情報を送信する場合に、通信スロットの割当てをもらうために行うRanging送信である。
【００７６】
上記の周期Rangingおよび帯域Rangingは、基地局といったん接続した後のRangingであるので、無線通信装置１０では、基地局の適正な受信電力レベルをすでに認識している（基地局に対して、どの程度の電力レベルで送信すればよいかの実績ができている）。
【００７７】
第３の実施の形態では、初期Rangingのような、基地局側の適正な受信電力レベルを認識していないときのリトライと、周期Rangingまたは帯域Rangingのような、基地局側の適正な受信電力レベルを認識しているときのリトライとで、第１のフェーズと第２のフェーズとを使い分けるものである。
【００７８】
すなわち、基地局と接続が確立していない状態における初期Rangingのときは、第２のフェーズでリトライし、基地局と接続が確立している状態における周期Rangingまたは帯域Rangingのときは、第１のフェーズでのリトライを継続して行うことになる。
【００７９】
図９は送信電力制御の動作フローを示す図である。第３の実施の形態の動作フローを示しており、図７の動作フローと同じステップには同じ符号をつけて説明は省略する。第３実施の形態では、無線通信装置１０がネットワークにエントリしているか否かを判断するステップＳ３０ｂが新たに追加される。
【００８０】
〔Ｓ３０ｂ〕送信電力制御部１２は、リトライ回数が残っている場合、自装置が基地局のカバーするネットワークにエントリしているか否かを判断する。すなわち、基地局と接続が確立しているか否かを判断する。
【００８１】
エントリしていればステップＳ２１へ戻り、第１のフェーズによるリトライを行う。また、エントリしていない場合は、ステップＳ２５へいって、第１のフェーズを継続するか否かの判断が行われ、継続しない場合は、ステップＳ２６による第２のフェーズに移行する。
【００８２】
このように、基地局といったん接続がとれた後にリトライを行う場合は、第１のフェーズのリトライを繰り返すことによって、一度調整された電力レベルから外れた送信電力となるといった現象を回避することが可能になる。
【００８３】
次に第４の実施の形態について説明する。上記の第３の実施の形態では、無線通信装置１０が基地局と接続して、周期Rangingまたは帯域Rangingなどを行う場合は、第１のフェーズを継続するとした。
【００８４】
一方、前回送信したRangingからある程度の時間が経過している場合には、無線環境も大きく変化している可能性がある。この場合は、適正な送信電力レベルが基地局との間で調整した時点からはずれてしまっている可能性が高く、また、リトライとなった要因が電力不足である可能性も高い。
【００８５】
したがって、第４の実施の形態では、前回のRanging送信から一定時間経過後に基地局からの応答がない場合には、周期Rangingまたは帯域Rangingであっても、第２のフェーズへ移行するものである。
【００８６】
図１０は送信電力制御の動作フローを示す図である。第４の実施の形態の動作フローを示しており、図７の動作フローと同じステップには同じ符号をつけて説明は省略する。第４の実施の形態では、前回のRangingのリトライから一定時間経過しているか否かを判断するステップＳ３０ｃが新たに追加される。
【００８７】
〔Ｓ３０ｃ〕送信電力制御部１２は、リトライ回数が残っている場合、前回のRangingのリトライから一定時間経過しているか否かを判断する。一定時間経過していなければステップＳ２１へ戻り、第１のフェーズによるリトライを行う。また、一定時間経過した場合は、ステップＳ２５へいって、第１のフェーズを継続するか否かの判断が行われ、継続しない場合は、ステップＳ２６による第２のフェーズに移行する。
【００８８】
このように、周期Rangingまたは帯域Rangingであっても、前回のRanging送信から一定時間経過後に基地局からの応答がない場合には、第２のフェーズへ移行することで、適正な送信電力レベルでRanging送信を行うことが可能になる。
【００８９】
次に第５の実施の形態について説明する。第５の実施の形態は、第１のフェーズから第２のフェーズへの移行を電波環境の変動度合にもとづいて行うものである。基地局と無線通信装置１０との間の電波環境が安定していない状態では、基地局と一度調整した送信電力レベルでの送信が、一時的に送信電力不足となる可能性が高い。
【００９０】
このように、電波環境の変動があったからといって、リトライにより即時に送信電力レベルを上げてしまうと、結果的に送信電力が高くなりすぎる可能性が高い。そのため、電波環境の変動が、しきい値を越えない場合は、第１のフェーズのままリトライする回数を増やすことで、送信電力レベルが不適切に高まることを回避するものである。
【００９１】
図１１は送信電力制御の動作フローを示す図である。第５の実施の形態の動作フローを示しており、図７の動作フローと同じステップには同じ符号をつけて説明は省略する。第５の実施の形態では、前回のRangingのリトライから電波環境の変動が大きいか否かを判断するステップＳ３０ｄが新たに追加される。
【００９２】
〔Ｓ３０ｄ〕送信電力制御部１２は、リトライ回数が残っている場合、前回のRangingのリトライからの電波環境変動度合いがしきい値を越えるか否かを判断する。
しきい値を超えないときには、一時的な電波変動とみなしてステップＳ２５へいく。そして、第１のフェーズを継続するか否かの判断が行われ、継続する場合は、ステップＳ２１に戻り第１のフェーズが継続される。また、電波環境変動度合いが一定時間の間しきい値を越え続ける場合には、ステップＳ２６へ行き、第２のフェーズへ移行する。
【００９３】
なお、電波環境の変動度合いの検出方法としては、基地局の電波の受信レベル（RSSI）の変動具合、ノイズ妨害比（CINR）の変動具合、または変動具合の大小はその値の分散が大きいことで検出するなどが挙げられ、それぞれの場合において、あらかじめ設定したしきい値を用意しておくことになる。
【００９４】
このように、電波環境の変動が一時的な変動なのか否かを判断することにより、基地局との通信状態に応じた、適正な送信電力レベルでRangingのリトライを行うことが可能になる。
【００９５】
次にWiMAX（IEEE802.16e）で通信を行う移動局に無線通信装置１０の機能を適用した場合の例について説明する。初回Ranging送信時の送信電力レベルは以下の式（４）となる。
【００９６】
PTX IR MAX＝EIRxPIR,max＋BSEIRP−RSSI・・・（４）
ただし、EIRxPIR,maxは、基地局におけるInitial Ranging maximum equivalent isotropic received power、BSEIRPは、effective isotropic radiated powerであり、これらは基地局が定常的にブロードキャストして端末に周知する。
【００９７】
図１２は初期Ranging送信のシーケンスを示す図である。
〔Ｓ４１〕移動局は、初期Rangingを送信電力レベルＰ0で基地局へ送信するが、基地局で不達となる。
【００９８】
〔Ｓ４２〕移動局は、基地局からの応答がないので、初期Rangingを送信電力レベル（Ｐ0＋ΔＰ）に増加して基地局へリトライをし、２回目リトライで基地局に到達したとする。
【００９９】
〔Ｓ４３〕基地局は、移動局に対し送信電力レベル（Ｐ0＋Ｐ1）とする旨の指示を含むRNG RSP（Ranging Response）メッセージを移動局へ送信する。
〔Ｓ４４〕移動局は、送信電力レベル（Ｐ0＋Ｐ1）で初期Rangingを送信する。
【０１００】
〔Ｓ４５〕基地局は、移動局からのRangingによるアクセス要求が成功した旨を含むRNG RSPメッセージを移動局へ送信する。
〔Ｓ４６〕移動局から基地局へRNG REQ（Ranging Request）の送信が行われ、基地局から移動局へRNG RSPの送信が行われる。
【０１０１】
一方、周期Rangingと帯域Rangingは、送信電力レベルが確定した状態で送信されるため、以下に示すClosed LoopまたはOpen Roopの制御式にもとづいた電力制御を行う。なお、以降の式において、添え字newは今回の送信、添え字lastは前回の送信を意味する。
【０１０２】
Closed Loop制御では、以下の式（５）の計算式となる。
Pnew=Plast＋（C／Nnew−C／Nlast）−（10log10（Rnew）−10log10（Rlast））＋Offset
・・・（５）
なお、各パラメータは以下のように定義される。
【０１０３】
Pnew＝a power of a new UL（up link） burst in a current UL frame
C／Nnew＝normalized C／N for the new UL burst in the current UL frame
Rnew＝repetition factor R for the new UL burst in the current UL frame
Plast＝a power of a burst with a maximum value of （C／N ？ 10log10（R）） in the most recently transmitted UL frame
C／Nlast＝normalized C／N associated with Plast （thus referring to the burst with the maximum value of （C／N ？ 10log10（R）） in the most recently transmitted UL frame）
Rlast＝repetition factor R associated with Plast （thus referring to the burst with the maximum value of （C／N ？ 10log10（R）） in the most recently transmitted UL frame）
Offset＝an accumulation of power correction terms sent by BS（base station） since the last transmission
式（５）において、変調方式によって決まるC／N（変調方式によって正規化されたノイズレベル）、R（リピティション）にもとづき調整される。ここで、仮想的に基準となる変調方式を決めれば、
PRnew=PRlast+ Offset・・・（６）
Pnew＝PRnew＋（C／Nnew−C／NR）−（10log10（Rnew）−10log10（RR））
＋Offset・・・（７）
と変形でき、変調方式によらず決定するサブキャリア当たり電力を基準に、変調方式に応じたブーストを加えた電力調整量を加えればよいことがわかる（Option2と呼ばれる制御手順時）。
【０１０４】
一方、Open Loop制御では、以下の式（８）の計算式となる。
P（dBm）＝L＋C／N＋NI−10log10（R）＋Offset SS（subscriber station）perSS＋Offset BSperSS
・・・（８）
なお、各パラメータ以下のように定義される。
【０１０５】
P＝TX power level (dBm) per a subcarrier for the current transmission, including MS Tx antenna gain
L＝an estimated average current UL propagation loss
NI＝an estimated average power level (dBm) of a noise and interference per a subcarrier at BS, not including BS Rx antenna gain
Offset SSperSS＝a correction term for SS-specific power offset
Offset BSperSS＝ a correction term for SS-specific power offset
式（８）で変調方式とパスロスおよび固定オフセットを加えサブキャリア電力を決定する。
【０１０６】
また、以下の式（９）のように、
PRnew＋PRlast＋（Lnew−Llast）＝PRlast−（RSSInew−RSSIlast）・・・（９）
と変形すれば変調方式に依らない基準電力PRを決定し、これとの相対レベルで変調方式に応じたバースト毎の電力を設定できる。
【０１０７】
ここで、Initial Ranging時は適切な電力レベルを調整し終えてないため、基地局から応答がもらえる電力レベルを探索するような制御になるのに対し、周期Rangingや帯域Rangingは、電力が確定された状態で上記Closed Loop制御またはOpen Loop制御を基地局の指示により選択しそれに従った制御を行う。したがって、上記リトライを周期Rangingや帯域Rangingに適用する。
【０１０８】
次に無線通信装置１０の通信インタフェースモジュールやアダプタへの適用例について説明する。無線通信装置１０は、携帯電話機等の装置の他に、各種通信端末に装着することができる通信インタフェースモジュールやアダプタに適用することができる。
【０１０９】
例えば、パーソナルコンピュータやハンドヘルド端末等の拡張インタフェースに装着することで、無線端末化することが可能な通信インタフェースモジュールやアダプタであり、各種通信端末に装着することで本発明の機能を実現することが可能である。
【０１１０】
具体的には、USB（Universal Serial BUS）I／Fを備え、端末本体とUSBにて接続するような無線I／F部を、USBインタフェースを持つパソコンやPDA等に装着することで、そのパソコンやPDAが無線端末として動作できるようになる通信インタフェースモジュールやアダプタである。
【０１１１】
次に無線通信装置１０が適用される無線端末（ＭＳ）の構成について説明する。図１３は無線端末の構成例を示す図である。ＭＳ４は、基地局との無線接続の手段として、インタフェース（Ｉ／Ｆ）部４２と、ホスト部４４とを備える。Ｉ／Ｆ部４２は、基地局との無線接続のための送信と受信との各機能を備える無線通信モジュールの一例である。ホスト部４４はＩ／Ｆ部４２の制御部であって、コンピュータによって構成される。
【０１１２】
Ｉ／Ｆ部４２は、受信側無線部４６と、送信側無線部４８と、ベースバンド（ＢＢ：Base band）部５０と、制御部５２と、発振部５４と、温度検出部５６とを備える。
受信側無線（ＲＦ：Radio Frequency）部４６は、受信用アンテナ５８を備え、例えば基地局からの送信信号を受信する。そこで、この受信側のＲＦ部４６には受信信号の高周波増幅機能や受信周波数の同調機能が備えられ、これらの機能を実現するため、発振部５４から発振出力が供給されている。
【０１１３】
受信周波数に同調する手段として周波数シンセサイザを構成するＰＬＬ（Phase Locked Loop）６０が備えられている。また、受信信号を増幅する手段として増幅器６２、６４が備えられている。これら増幅器６２、６４のゲインが受信部６６のゲイン制御出力によって制御される。
【０１１４】
送信側無線（ＲＦ：Radio Frequency）部４８は、ＢＢ部５０の出力信号を送信する送信出力信号を生成し、この送信出力信号を基地局に向けて送信用アンテナ６８から送出する。そこで、この送信側のＲＦ部４８には送信信号を送出するための出力増幅機能が備えられ、この機能を実現するため、発振部５４から発振出力が供給されている。送信信号の増幅手段として増幅器７０、７２が備えられている。
【０１１５】
ＢＢ部５０は、データ伝送を行うパケットの検出、分解、再構成等のデータ処理、変調、ディジタル・アナログ変換（Ｄ／Ａ）、アナログ・ディジタル変換（Ａ／Ｄ）等の信号処理を行う。そこで、このＢＢ部５０は、受信部６６と、送信部７４と、Ｄ／Ａ部７６と、制御インタフェース（Ｉ／Ｆ）部７８とを備えている。
【０１１６】
受信部６６は、Ａ／Ｄ部８０と、自動利得制御（ＡＧＣ：Automatic Gain Cotrol）部８２と、高速フーリエ変換（ＦＦＴ：Fast Fourier Transform）部８４と、検出部８６と、同期部８８と、自動周波数制御（ＡＦＣ：Automatic Frequency Cotrol）部９０とを備える。
【０１１７】
そこで、受信部６６では、ＲＦ部４６で得られた受信信号をＡ／Ｄ部８０でディジタル信号に変換する。ＡＧＣ部８２は、Ａ／Ｄ部８０で得られたディジタル信号から受信信号レベルを検出し、受信信号レベルからＡＧＣ信号を生成する。このＡＧＣ信号がＲＦ部４６の増幅器６２、６４に加えられ、増幅器６２、６４の利得を制御する。
【０１１８】
ＦＦＴ部８４は、Ａ／Ｄ部８０で得たディジタル信号に高速フーリエ変換を施す信号処理部であって、ディジタル化された受信信号中に含まれる周波数成分を抽出する。検出部８６は、ＦＦＴ部８４で抽出した周波数成分からパケット信号を検出し、制御Ｉ／Ｆ部７８に出力する。同期部８８は、ＦＦＴ部８４で抽出した周波数成分を用いて、検出部８６側の同期や、ＡＦＣ部９０側の同期を取る。ＡＦＣ部９０は、ＦＦＴ部８４で抽出した周波数成分を用いて発振部５４の発振周波数の周波数制御を行い、発振部５４に一定の発振周波数を発振させる。
【０１１９】
送信部７４は、変調部９２と、逆高速フーリエ変換（ＩＦＦＴ：Inverse ＦＦＴ）部９４とを備える。変調部９２は、制御Ｉ／Ｆ部７８からのデータ等の信号を受け、搬送波にディジタル変調を施す。ＩＦＦＴ部９４は、変調部９２の出力信号に逆高速フーリエ変換を施し、ディジタル信号の送信信号を生成する。
【０１２０】
Ｄ／Ａ部７６は、ＩＦＦＴ部９４で生成した送信信号をアナログ信号に変換し、ＲＦ部４８に送出する。そして、ＲＦ部４８が与えられた送信信号を送信出力信号に変換し、送信用アンテナ６８から送出させる。
【０１２１】
制御Ｉ／Ｆ部７８は、制御部５２と、受信部６６及び送信部７４との媒介手段であるインタフェースであって、受信部６６で得たパケットデータ等の受信信号を制御部５２に伝送し、又は制御部５２の送出信号を送信部７４に伝送する。
【０１２２】
そして、制御部５２は、ＢＢ部５０の制御手段であるとともに、接続中のＢＳとして例えば、ＢＳ６に対してスキャン処理の要求、ＢＳ６からのスキャン指示に応じて、送受信処理の停止等の各種の制御を実行する。そこで、この制御部５２には、ＣＰＵ（Central Processing Unit）９６と、ＲＡＭ（Random-Access Memory）９８と、ＲＯＭ（Read-Only Memory）１００と、ホストインタフェース（Ｉ／Ｆ）部１０２とを備え、これらはバス１０４で接続されている。
【０１２３】
ＣＰＵ９６は制御処理や演算処理を実行するプロセッサの一例であって、ＲＯＭ１００上、あるいはＲＯＭ１００からＲＡＭ９８に展開したプログラムを実行する。既述の送受信処理の停止制御は、例えば、プログラムに組み込まれる処理の一部として実装される。
【０１２４】
ＲＡＭ９８は、読み書き可能な記憶手段の一例であって、ＣＰＵ９６で実行されるプログラムのワークエリアとして用いたり、あるいはＲＯＭ１００に格納されたプログラムを展開し格納する。ＲＯＭ１００は、プログラムやデータ等の記憶手段であって、ＣＰＵ９６が実行するプログラムや各種テーブルデータ等を格納する。ＲＯＭ１００は、フラッシュメモリ等の記録媒体で構成すればよい。
【０１２５】
ホストＩ／Ｆ部１０２は、制御部５２とホスト部４４とを連係させる媒体手段としてのインタフェースを構成する。そして、発振部５４は、所定周波数を発振させる手段であって、受信部６６の出力によって発振周波数が制御され、発振出力をＲＦ部４６、４８に出力する。
【０１２６】
次に無線通信装置１０の機能を実行するソフトウェアプログラムについて説明する。上記の無線通信装置１０の処理機能は、コンピュータによって実現することができる。その場合、無線通信装置１０が有すべき機能の処理内容を記述したプログラム（送信電力制御プログラム）が提供される。そのプログラムをコンピュータで実行することにより、上記処理機能がコンピュータ上で実現される。処理内容を記述したプログラムは、コンピュータで読み取り可能な記録媒体に記録しておくことができる。
【０１２７】
コンピュータは、ＣＰＵによって装置全体が制御される。ＣＰＵには、バスを介してＲＡＭ、ハードディスクドライブ、通信インタフェース、グラフィック処理装置、および入出力インタフェースが接続される。
【０１２８】
ＲＡＭには、ＣＰＵに実行させるＯＳ（Operating System）のプログラムや、送信電力制御を行うためのプログラムの少なくとも一部が一時的に格納される。また、ＲＡＭには、ＣＰＵによる処理に必要な各種データが格納される。ＨＤＤメッセージには、ＯＳやアプリケーションプログラムが格納される。
【０１２９】
通信インタフェースは、ネットワークに接続されている。通信インタフェースは、ネットワークを介して、他のコンピュータとの間でデータの送受信を行う。グラフィック処理装置は、モニタが接続されている。グラフィック処理装置は、ＣＰＵからの命令にしたがって画像をモニタの画面に表示させる。
【０１３０】
入出力インタフェースには、キーボードとマウスとが接続されている。入出力インタフェースは、キーボードやマウスから送られてくる信号を、バスを介してＣＰＵに送信する。また、入出力インタフェースは、外部記憶媒体への情報の書き込みおよび外部記憶媒体への情報の読出しが可能な外部記憶媒体インタフェースと接続可能になっている。
【０１３１】
無線通信装置１０は、送信電力制御部１２が有すべき機能の処理内容を記述したプログラムをコンピュータで実行することにより実現することができる。すなわち、図１の送信電力制御部１２に対応する処理内容をプログラムとして記述する。ここで、記述したプログラムは、コンピュータで読み取り可能な記録媒体に記録しておくことができる。
【０１３２】
コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク（ＦＤ）、磁気テープなどがある。光ディスクには、ＤＶＤ、ＤＶＤ−ＲＡＭ、ＣＤ−ＲＯＭ／ＲＷなどがある。光磁気記録媒体には、ＭＯ（Magneto-Optical disc）などがある。
【０１３３】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１３４】
また、上記の処理機能の少なくとも一部を、ＤＳＰ（Digital Signal Processor）、ＡＳＩＣ（Application Specific Integrated Circuit）、ＰＬＤ（Programmable Logic Device）などの電子回路で実現することもできる。
【０１３５】
プログラムを実行するコンピュータは、例えば、外部記憶媒体に記録されたプログラムまたはサーバプログラムから転送されたプログラムを、自己の記憶装置に格納する。そして、コンピュータは自己の記憶装置からプログラムを読み取り、プログラムにしたがった処理を実行する。なお、コンピュータは、外部記憶媒体から直接プログラムを読み取り、そのプログラムにしたがった処理を実行することもできる。また、コンピュータは、サーバコンピュータからプログラムが転送されるごとに、逐次受け取ったプログラムにしたがった処理を実行することもできる。
【０１３６】
以上説明したように、本発明によれば、Rangingのリトライが発生したときに基地局との通信を再開できる確度を改善することができ、無通信となる区間の発生や基地局との切断による通信断のリスクを低減することが可能になる。
【０１３７】
なお、上記では主にWiMAXプロトコルを例にして、無線通信装置１０における送信電力制御について説明したが、本発明はWiMAXに限らず、その他の無線通信プロトコルの方式に対しても、幅広く適用することが可能である。
【０１３８】
以上、実施の形態を例示したが、実施の形態で示した各部の構成は同様の機能を有する他のものに置換することができる。また、他の任意の構成物や工程が付加されてもよい。
（付記１）  基地局へレンジング信号を送信する送信部と、
前記レンジング信号の送信電力レベルを制御する送信電力制御部と、
を備え、
前記送信電力制御部は、前記レンジング信号の再送を行う場合、
初回送信時と同じ前記送信電力レベルで、または初回送信時の算出手順を再度実行して求めた前記送信電力レベルで再送を行う第１のフェーズと、前記送信電力レベルを増加させて再送を行う第２のフェーズとを有する、
ことを特徴とする無線通信装置。
【０１３９】
（付記２）  前記送信電力制御部は、自装置と前記基地局との間における、前記レンジング信号の初回送信時のパスロスと、再送時のパスロスとの変化にもとづいて、前記送信電力レベルの増加量を求めることを特徴とする付記１記載の無線通信装置。
【０１４０】
（付記３）  前記送信電力制御部は、前記第１のフェーズの再送回数が所定回数に達した場合に、前記第１のフェーズから前記第２のフェーズへ移行することを特徴とする付記１記載の無線通信装置。
【０１４１】
（付記４）  前記送信電力制御部は、前記基地局と接続が確立していない場合には、前記第２のフェーズによる前記レンジング信号の再送を行い、前記基地局と接続が確立している場合には、前記第１のフェーズの前記レンジング信号の再送を行うことを特徴とする付記１記載の無線通信装置。
【０１４２】
（付記５）  前記送信電力制御部は、前記第１のフェーズによる前記レンジング信号の再送を行った際、一定時間経過しても前記基地局からの応答がない場合は、前記第２のフェーズによる前記レンジング信号の再送を行うことを特徴とする付記１記載の無線通信装置。
【０１４３】
（付記６）  前記送信電力制御部は、電波環境変動度合いを検出し、前記電波環境変動度合いがしきい値を下回る場合は、前記第１のフェーズによる前記レンジング信号の再送を継続して行い、前記電波環境変動度合いが一定時間の間しきい値を越える場合は、前記第２のフェーズによる前記レンジング信号の再送を行うことを特徴とする付記１記載の無線通信装置。
【０１４４】
（付記７）  基地局へレンジング信号を送信する送信部と、
前記レンジング信号の送信電力レベルを制御する送信電力制御部と、
を備え、
前記送信電力制御部は、前記レンジング信号の再送を行う場合、自装置と前記基地局との間における、前記レンジング信号の初回送信時のパスロスと、再送時のパスロスとの変化にもとづいて、前記送信電力レベルの増加量を求めて、前記送信電力レベルを増加させて再送を行う、
ことを特徴とする無線通信装置。
【０１４５】
（付記８）  送信電力レベルを制御する送信電力制御方法において、
基地局へレンジング信号の再送を行う場合に、第１のフェーズと第２のフェーズとを有し、
前記第１のフェーズでは、初回送信時と同じ前記送信電力レベルで、または初回送信時の算出手順を再度実行して求めた前記送信電力レベルで再送を行い、
前記第２のフェーズでは、前記送信電力レベルを増加させて再送を行う、
ことを特徴とする送信電力制御方法。
【０１４６】
（付記９）  自装置と前記基地局との間における、前記レンジング信号の初回送信時のパスロスと、再送時のパスロスとの変化にもとづいて、前記送信電力レベルの増加量を求めることを特徴とする付記８記載の送信電力制御方法。
【０１４７】
（付記１０）  前記第１のフェーズの再送回数が所定回数に達した場合に、前記第１のフェーズから前記第２のフェーズへ移行することを特徴とする付記８記載の送信電力制御方法。
【０１４８】
（付記１１）  前記基地局と接続が確立していない場合には、前記第２のフェーズによる前記レンジング信号の再送を行い、前記基地局と接続が確立している場合には、前記第１のフェーズの前記レンジング信号の再送を行うことを特徴とする付記８記載の送信電力制御方法。
【０１４９】
（付記１２）  前記第１のフェーズによる前記レンジング信号の再送を行った際、一定時間経過しても前記基地局からの応答がない場合は、前記第２のフェーズによる前記レンジング信号の再送を行うことを特徴とする付記８記載の送信電力制御方法。
【０１５０】
（付記１３）  電波環境変動度合いを検出し、前記電波環境変動度合いがしきい値を下回る場合は、前記第１のフェーズによる前記レンジング信号の再送を継続して行い、前記電波環境変動度合いが一定時間の間しきい値を越える場合は、前記第２のフェーズによる前記レンジング信号の再送を行うことを特徴とする付記８記載の送信電力制御方法。
【０１５１】
（付記１４）  送信電力レベルの制御をコンピュータに実行させる送信電力制御プログラムにおいて、
基地局へレンジング信号を再送する場合、
前記コンピュータに、
初回送信時と同じ前記送信電力レベルで、または初回送信時の算出手順を再度実行して求めた前記送信電力レベルで再送を行う第１のフェーズと、前記送信電力レベルを増加させて再送を行う第２のフェーズと、による処理を実行させることを特徴とする送信電力制御プログラム。
【符号の説明】
【０１５２】
１０  無線通信装置
１１  送信部
１２  送信電力制御部
２０  基地局
【図１】
2011259019.tif 000003
【図２】
2011259019.tif 000004
【図３】
2011259019.tif 000005
【図４】
2011259019.tif 000006
【図５】
2011259019.tif 000007
【図６】
2011259019.tif 000008
【図７】
2011259019.tif 000009
【図８】
2011259019.tif 000010
【図９】
2011259019.tif 000011
【図１０】
2011259019.tif 000012
【図１１】
2011259019.tif 000013
【図１２】
2011259019.tif 000014
【図１３】
2011259019.tif 000015
【図１４】
2011259019.tif 000016